(57)【要約】  送電端末（２００）では、充電制御部（２２）が充電制御信号に従った充電制御電圧の交流信号を出力する。コイルアンテナ（２１）は近接電磁界を励起する。一次側信号処理部（２３）は、負荷変調通信時にコイルアンテナ（２１）の電圧から受信信号を取得し、受信信号に含まれる充電制御電圧の設定値に基づいて充電制御信号を設定する。受電端末（１００）では、コイルアンテナ（１１）はコイルアンテナ（２１）の近接電磁界に結合する。整流回路（１２）は充電池（ＲＬ）の充電電圧を生成する。負荷変調部（１３）は、負荷変調通信時に負荷変調することでコイルアンテナ（２１）から見たコイルアンテナ（１１）の負荷インピーダンスを変化させる。二次側信号処理回路（１４）は、充電電圧や充電電流から演算した充電制御電圧の設定値を送信信号として、負荷変調通信時に負荷変調部（１３）を制御する。
2010035545.tif 000002
【特許請求の範囲】
【請求項１】
充電制御信号に従った電圧の交流信号を出力する充電制御部、前記交流信号により近接電磁界を励起する送電部、および、負荷変調通信時に前記送電部の電圧から受信信号を取得し、前記受信信号に含まれる参照情報に基づいて前記充電制御信号を設定する一次側信号処理部、を備える送電端末と、
前記近接電磁界に結合する受電部、前記受電部の出力から充電池の充電電圧を生成する充電電圧生成部、前記負荷変調通信時に負荷変調することで前記送電部から見た前記受電部の負荷インピーダンスを変化させる負荷変調部、前記充電池に関する前記参照情報を取得する情報取得部、および、前記情報取得部の取得する前記参照情報を送信信号として、前記負荷変調通信時に前記負荷変調部を制御する二次側信号処理部、を備える受電端末と、を備える無接点充電システム。
【請求項２】
前記二次側信号処理部は、前記参照情報および前記受電端末の固有識別子を前記送信信号とする、請求項１に記載の無接点充電システム。
【請求項３】
前記参照情報は、前記充電制御部の交流信号の電圧設定値を含む、請求項１または２に記載の無接点充電システム。
【請求項４】
前記参照情報は、前記情報取得部で取得する前記充電池の充電中の適時情報を含む、請求項１〜３のいずれかに記載の無接点充電システム。
【請求項５】
前記参照情報は、前記情報取得部に予め記憶した前記充電池の特性情報を含む、請求項１〜４のいずれかに記載の無接点充電システム。
【請求項６】
前記参照情報は、前記充電制御部を前記充電池に応じて制御するための前記一次側信号処理部の処理プログラムを含む、請求項１〜５のいずれかに記載の無接点充電システム。
【発明の詳細な説明】
【技術分野】
【０００１】
この発明は、近接電磁界を励起する送電端末と、近接電磁界との結合により無接点充電が行われる受電端末とを備える無接点充電システムに関するものである。
【背景技術】
【０００２】
一般に充電池は、充電時にはリチウムイオン電池や、ニッケルカドミウム電池、電気二重層コンデンサ、ニッケル水素電池などの電池種別などに応じた適切な充電パターン（充電プロファイル）となるように充電電流や充電電圧を制御するのが望ましい。なお、電池種別による適切な充電パターンの例を図１に示す。例えばリチウムイオン電池の場合、定電流での充電を行い、充電電圧が規定値に達した後に、定電圧での充電を行うことが望ましい。また、例えばニッケル水素充電池の場合、定電流での充電を行い、電圧低下や温度上昇が見られれば、充電を終了することが望ましい。【０００３】
このような適切な充電パターンを実現するため、充電池には充電制御回路が付設されることがある。充電制御回路に接続される充電池が単一種別のものであれば適切な充電パターンを実現することは容易であるが、充電池が交換可能である場合には非対応種別の充電池が装填されて不適切な充電パターンで充電がなされる虞がある。そこで、充電池の電池種別を識別可能に構成することにより、対応する電池種別の充電池以外には充電を行わないようにした充電制御回路が利用されることがある（例えば特許文献１参照。）。【０００４】
また、ＲＦＩＤや、固定電話の子機、電気シェーバーなどでは、家庭用電源と充電池との接続に近接電磁界を利用した無接点電力伝送を利用することで、充電池を設ける受電端末への電力線の接続を不要にする無接点充電が利用されることがある。無接点充電を利用する場合、受電端末側に充電制御回路が設けられていた。また、受電端末側の端末認証などのために、受電端末側から送電端末側に負荷変調通信により信号を送信することがあった（例えば特許文献２参照）。
【先行技術文献】
【特許文献】
【０００５】
【特許文献１】特開２００１−２６６９５５号公報
【特許文献２】特開２００３−２３３６６号公報
【発明の概要】
【発明が解決しようとする課題】
【０００６】
無接点充電システムの利用者にとって、保有する受電端末ごとに送電端末を所有するよりは、共用の送電端末で複数の受電端末を充電できたほうが望ましい。しかしながら、受電端末ごとに適切な充電パターンで充電する必要があり、多様な電池種別の様々な受電端末に対して送電端末を共用することは、従来は難しかった。【０００７】
仮に、全ての受電端末に充電池の適切な充電パターンを実現する充電制御回路を設ければ、共用の送電端末で複数の受電端末を充電することは可能である。しかし、充電制御回路にはＤＣ／ＤＣコンバータなどの大型で発熱の大きい部品を設ける必要があり、受電端末の大型化や、発熱の増加による充電池の特性劣化を招来する問題があった。【０００８】
そこで、充電制御回路を受電端末ではなく送電端末に設けることが考えられるが、その場合、各受電端末の適切な充電パターンを実現するためには充電パターンごとに専用の送電端末を用意する必要があり、その場合にも非対応の充電パターンを要する受電端末が装着される虞を免れることはできず、その実現は現実的では無かった。【０００９】
そこで、この発明の目的は、適切な充電パターンの異なる複数の受電端末の間で送電端末を共用しても、受電端末ごとに適切な充電パターンで充電ができ、且つ、受電端末の小型化や低発熱化を実現できる無接点充電システムを提供することにある。
【課題を解決するための手段】
【００１０】
この発明の無接点受電システムは送電端末と受電端末とを備える。送電端末は、充電制御部、送電部、および、一次側信号処理部を備える。充電制御部は、充電制御信号に従った電圧の交流信号を出力する。送電部は、交流信号により近接電磁界を励起する。一次側信号処理部は、負荷変調通信時に送電部の電圧から受信信号を取得し、受信信号に含まれる参照情報に基づいて充電制御信号を設定する。受電端末は、受電部、充電電圧生成部、負荷変調部、情報取得部、および、二次側信号処理部を備える。受電部は近接電磁界に結合する。充電電圧生成部は、受電部の出力から充電池の充電電圧を生成する。負荷変調部は、負荷変調通信時に負荷変調することで送電部から見た受電部の負荷インピーダンスを変化させる。情報取得部は充電池に関する参照情報を取得する。二次側信号処理部は、情報取得部の取得する参照情報を送信信号として、負荷変調通信時に負荷変調部を制御する。【００１１】
この構成では、受電端末の情報取得部で取得する参照情報に基づいて、送電端末の充電制御部での適切な充電制御を行うことで近接電磁界の強さを調整し、受電端末で適切な充電パターンの充電電圧を生成することができる。充電制御部を受電端末ではなく送電端末に設けるため、受電端末の小型化や低発熱化を実現できる。送電端末で参照情報に基づいて充電制御でき、参照情報の異なる複数の受電端末であっても、共用の送電端末を利用して充電を行える。【００１２】
二次側信号処理部は、参照情報および受電端末の固有識別子を送信信号とすると好適である。従来の負荷変調通信では固有の識別子を送信信号として端末認証を行うことが一般的である。そこで、この負荷変調通信の機能を利用して充電池の参照情報を受電端末から送電端末に送信することで、充電池の参照情報の伝達のための特別な構成を追加すること無く、簡易な構成で充電池の参照情報の伝達を行える。【００１３】
参照情報は、充電制御部の交流信号の電圧設定値を含んでもよい。【００１４】
参照情報は、情報取得部に予め記憶した充電池の特性情報を含んでもよい。この特性情報としては、例えばリチウムイオン電池やニッケルカドミウム電池、電気二重層コンデンサ、ニッケル水素電池などの電池種別や、最適充電パターンなどの情報を採用してもよい。【００１５】
参照情報は、情報取得部で取得する充電池の充電中の適時情報を含んでもよい。この特性情報としては、その時々の充電池の温度や、充電電流、充電電圧などの情報を採用してもよい。【００１６】
参照情報は、充電制御部を充電池に応じて制御するための一次側信号処理部の処理プログラムを含んでもよい。処理プログラム自体の更新ができれば、全く新しい種別の充電池や規格の受電端末が後に追加されても、その端末に適した充電パターンでの充電を行える。
【発明の効果】
【００１７】
この発明によれば、受電端末の情報取得部で取得する参照情報に基づいて、送電端末で充電制御を行うので、適切な充電パターンの異なる複数の受電端末の間で送電端末を共用しても、受電端末ごとに適切な充電パターンで充電ができ、さらには受電端末の小型化や低発熱化を実現できる。
【図面の簡単な説明】
【００１８】
【図１】一般的な充電池の最適充電パターンの例を説明する図である。
【図２】本発明の第１の実施形態に係る無接点充電システムの概略の回路図である。
【図３】本発明の第１の実施形態に係る無接点充電システムの動作フローを説明する図である。
【図４】本発明の第２の実施形態に係る無接点充電システムの動作フローを説明する図である。
【図５】本発明の第３の実施形態に係る無接点充電システムでの受電端末の動作フローを説明する図である。
【図６】本発明の第３の実施形態に係る無接点充電システムでの送電端末の動作フローを説明する図である。
【発明を実施するための形態】
【００１９】
《第１の実施形態》
以下、無接点充電システムの具体例として携帯電話機やモバイルＰＣなどの無接点充電回路、無接点充電アダプタを想定して本発明の実施形態を説明する。
【００２０】
図２は本発明の第１の実施形態に係る無接点充電システム１の概略回路例を示す図である。無接点充電システム１は、受電端末１００と送電端末２００とを備える。
【００２１】
送電端末２００は、コイルアンテナ２１、充電制御部２２、および、一次側信号処理部２３を備える。充電制御部２２は整流回路２４、ＤＣ／ＤＣコンバータ２５、およびインバータ２６を備える。整流回路２４は商用電源などから受け取る交流電圧を整流する。ＤＣ／ＤＣコンバータ２５は整流回路２４の出力電圧を、一次側信号処理部２３の出力する充電制御信号に従った電圧の直流電圧である充電制御電圧に変圧して出力する。インバータ２６はＤＣ／ＤＣコンバータ２５の出力する充電制御電圧を交流に変換して、コイルアンテナ２１へ給電する。コイルアンテナ２１は本発明の送電部であり、インバータ２６からの給電により近接電磁界が励起する。一次側信号処理部２３は電圧検出回路２７および一次側信号処理回路２８を備える。電圧検出回路２７は、コイルアンテナ２１の両端交流電圧を包絡線検波および波形整形して包絡線電圧信号として出力する。一次側信号処理回路２８は、電圧検出回路２７の出力する包絡線電圧信号をサンプリングし、信号レベルの変動に基づいて受電端末１００からの送信信号を検出する。そして、一次側信号処理回路２８は、受信した信号に含まれる参照情報に基づいて充電制御信号を設定する。
【００２２】
受電端末１００は、コイルアンテナ１１、整流回路１２、負荷変調部１３、二次側信号処理回路１４、電圧検出回路１５、電流検出用抵抗Ｒ２、サーミスタＴＨ、充電池パック１９を備える。コイルアンテナ１１は本発明の受電部であり、受電端末１００が送電端末２００の充電可能位置に配置された際に、一次側のコイルアンテナ２１の近接電磁界に結合する。整流回路１２は本発明の充電電圧生成部であり、コイルアンテナ１１から出力される高周波信号を整流する。負荷変調部１３は、抵抗Ｒ１とスイッチＱ１とを備える。抵抗Ｒ１は、整流回路１２−充電池パック１９間に第一端が接続される。スイッチＱ１は、抵抗Ｒ１の第二端とグランドとの間に接続される。
【００２３】
二次側信号処理回路１４は、参照情報を取得して送信信号を生成し、この送信信号に応じてスイッチＱ１をオンオフ制御する。スイッチＱ１の切り替えにより、負荷変調部１３のインピーダンスが変化し、送電端末２００のコイルアンテナ２１から見た受電端末１００のコイルアンテナ１１の負荷インピーダンスが変化する。そのため送電端末２００では負荷変調通信の信号を検出できる。
【００２４】
電圧検出回路１５は、電力ラインの整流回路１２−充電池パック１９間に設けられ、電力ラインの電圧（充電電圧）を検出する。電流検出用抵抗Ｒ２は、充電電力ラインの充電池パック１９とグランドとの間に設けられる。サーミスタＴＨは、充電池パック１９に近接配置されていて充電池パック１９近傍の雰囲気温度に感応する。電圧検出回路１５、電流検出用抵抗Ｒ２、サーミスタＴＨは、それぞれ二次側信号処理回路１４とともに本発明の情報取得部を構成し、それぞれの出力に基づいて二次側信号処理回路１４が検出する電圧、電流、温度が本発明の適時情報に相当する。
【００２５】
充電池パック１９は、保護回路１８、ＥＥＰＲＯＭ（Electronically   Erasable  and  Programmable  Read  Only  Memory）１７、および充電池ＲＬを備える。保護回路１８は、整流回路１２と充電池ＲＬとの間に設けられ、充電池ＲＬが異常高温状態になる場合や、過電流が生じる場合に充電電流を遮断する。充電池ＲＬは、例えば携帯電話機の動作電源である。ＥＥＰＲＯＭ１７は、充電池ＲＬの電池種別、最適充電パターンなどを記憶している。このＥＥＰＲＯＭ１７は二次側信号処理回路１４とともに本発明の情報取得部を構成し、記憶する情報のうち充電池の特性に関するものが本発明の特性情報に相当する。
【００２６】
なお、充電池の最適充電パターンは充電回数や充電時間などの充電履歴に依存することがあるため、充電履歴についてもＥＥＰＲＯＭ１７に記憶し、充電履歴に応じた最適充電パターンを二次側信号処理回路１４で演算するようにしてもよい。
【００２７】
以上の構成の無接点充電システム１は、負荷変調通信モードと電力伝送モードとを切り替えながら動作する。送電端末２００は、電力伝送モードでの動作時に高電圧充電制御電圧を出力し、一定の時間が経過すると負荷変調通信モードに動作を切り替えて低電圧充電制御電圧を出力し、コイルアンテナ２１の近接電磁界を抑制する。一方、受電端末１００は、充電電圧が負荷変調通信モードでの電圧値なのか電力伝送モードでの電圧値なのかを、二次側信号処理回路１４で判定してモードに応じて動作を切り替える。
【００２８】
図３は、無接点充電システム１での動作フローを示す図であり、図３（Ａ）が受電端末１００の動作フローを、図３（Ｂ）が送電端末２００の動作フローを示す。
【００２９】
受電端末１００では二次側信号処理回路１４が電圧検出回路１５の出力する充電電圧からモードの判定を行い、充電電圧の電圧レベルが規定値よりも低ければ、負荷変調通信モードとして動作制御を行う（Ｓ１１）。
【００３０】
負荷変調モードでは、まず、二次側信号処理回路１４が、電圧検出回路１５や、電流検出用抵抗Ｒ２、サーミスタＴＨなどの出力から、時刻によって変動する適時情報を取得する。また、二次側信号処理回路１４が、特性情報をＥＥＰＲＯＭ１７などから取得する（Ｓ１２）。この際、ＥＥＰＲＯＭ１７から過去の充電履歴を読み出したり、検出電圧や、検出電流、検出温度、充電時間などを、充電履歴としてＥＥＰＲＯＭ１７に追加して記憶させたりしても良い。
【００３１】
次に、二次側信号処理回路１４が、特性情報や適時情報に基づいて送電端末２００の一次側信号処理回路２８で設定すべき充電制御電圧を演算により決定する。（Ｓ１３）。
【００３２】
次に、二次側信号処理回路１４がスイッチＱ１をオンオフ制御し、携帯電話機などの端末固有の端末識別子と、充電制御電圧とを送信信号として負荷変調通信を行う（Ｓ１４）。スイッチＱ１のオンオフ制御により、送電端末２００のコイルアンテナ２１から見た受電端末１００のコイルアンテナ１１の負荷インピーダンスが変化して、送電端末２００のコイルアンテナ２１における電圧レベルが受電端末１００からの送信信号に応じて変化する。
【００３３】
二次側信号処理回路１４は電圧検出回路１５の出力する充電電圧を一定時間モニタし、充電電圧の電圧レベルが規定値よりも高くなれば電力伝送モードとして動作制御を行い、そうならなければ再び負荷変調通信モードでの動作制御を行う（Ｓ１５）。電力伝送モードでは、充電池ＲＬの起電圧よりも十分に大きな充電電圧が給電され、充電池ＲＬの充電が進展する（Ｓ１６）。
【００３４】
一方、送電端末２００では、待機状態では負荷変調通信モードの動作を行い、負荷変調通信による信号を受信してから、電力伝送モードでの動作に移行する。電力伝送モードで一定の時間が経過すると負荷変調通信モードに移行し、受電端末１００との定期認証を行う。
【００３５】
負荷変調通信モードでは、まず、一次側信号処理回路２８が低電圧充電制御電圧を設定する充電制御信号を出力してＤＣ／ＤＣコンバータ２５を制御する（Ｓ２１）。これにより、受電端末１００の充電電圧の電圧レベルが低くなる。したがって、受電端末１００では負荷変調通信の送信動作が実施される。
【００３６】
次に、送電端末２００の一次側信号処理回路２８では、受電端末１００からの送信信号を検出する（Ｓ２２）。送信信号を検出した一次側信号処理回路２８は、端末識別子の認証を行う（Ｓ２３）。照合が取れれば、送信信号に含まれる充電制御電圧（高電圧充電制御電圧）を設定する充電制御信号を出力してＤＣ／ＤＣコンバータ２５を制御する（Ｓ２４）。
【００３７】
これにより、ＤＣ／ＤＣコンバータ２５の出力電圧が高電圧充電制御電圧に変化し、コイルアンテナ２１に励起する近接電磁界が強まる（Ｓ２５）。したがって、受電端末１００における充電電圧が既定値よりも高まって電力伝送モードになり、充電池ＲＬの充電が進展する。
【００３８】
その後、一定の時間が経過して定期認証タイミングとなると、送電端末２００の一次側信号処理回路２８は、再び負荷変調通信モードでの動作を実施する（Ｓ２６）。
【００３９】
以上の動作フローでは、受電端末１００の二次側信号処理回路１４が、送電端末２００の高電圧充電制御電圧の電圧値を適切に設定することで、受電端末１００の充電電圧と充電電流とを充電池ＲＬの最適充電パターンに従わせることが可能になる。
【００４０】
例えば、充電池ＲＬの電池種別がリチウムイオン電池の場合、図１（Ａ）と同様の充電パターンとなるように高電圧充電制御電圧を設定すればよい。すなわち、二次側の充電電流を一定にする充電電流のフィードバック制御演算を二次側信号処理回路１４で行い、その間の充電電圧の変化をモニタする。そして、モニタしている充電電圧の電圧増加が飽和すれば、二次側信号処理回路１４の動作を、充電電圧を一定にする充電電圧のフィードバック制御に切り替えて、一定の充電電圧の基で充電電流が減少していく充電パターンを実現する。
【００４１】
また例えば、充電池ＲＬの電池種別がニッケル水素電池の場合、図１（Ｂ）と同様の充電パターンとなるように高電圧充電制御電圧を設定すればよい。すなわち、二次側の充電電流を一定にする充電電流のフィードバック制御演算を二次側信号処理回路１４で行い、その間の充電池ＲＬの温度や充電電圧をモニタする。そして、充電池ＲＬの温度が急増するようになる、又は充電電圧が低下するようになれば、充電を終了する充電パターンを実現する。
【００４２】
以上のように、本実施形態の無接点充電システム１では、受電端末１００で参照情報を取得して、送電端末２００の高電圧充電制御電圧を適切に設定することにより、充電池ＲＬを最適充電パターンで充電することができる。したがって、電池種別の異なる様々な受電端末を、単一の送電端末２００で充電することが可能になる。また、送電端末２００にＤＣ／ＤＣコンバータ２５を設けることにより、受電端末１００としてＤＣ／ＤＣコンバータを省く構成を採用でき、受電端末１００の小型化や低発熱化を実現することが容易になる。
【００４３】
《第２の実施形態》
次に、本発明の第２の実施形態に係る無接点充電システムについて説明する。以下では、第１の実施形態と同一の構成には、第１の実施形態と同じ符号を付して説明を省く。
【００４４】
本実施形態の無接点充電システムは、第１の実施形態に係る無接点充電システムと略同じ構成であるが、動作フローの点で相違する。
【００４５】
具体的には、負荷変調通信による送信信号として充電制御電圧ではなく、充電電圧、充電電流、充電池温度などの検出値を送信し、充電制御電圧の設定値の演算を受電端末１００ではなく送電端末２００側で実施する。
【００４６】
したがって、受電端末１００の二次側信号処理回路１４での制御が簡易になり、受電端末１００の低コスト化を図ることができる。
【００４７】
図４は、第２の実施形態の無接点充電システムでの動作フローを示す図であり、図４（Ａ）が受電端末１００の動作フローを、図４（Ｂ）が送電端末２００の動作フローを示す。
【００４８】
受電端末１００では二次側信号処理回路１４が電圧検出回路１５の出力する充電電圧からモードの判定を行い、充電電圧の電圧レベルが規定値よりも低ければ、負荷変調通信モードとして動作制御を行う（Ｓ３１）。
【００４９】
負荷変調モードでは、まず、二次側信号処理回路１４が、電圧検出回路１５や、電流検出用抵抗Ｒ２、サーミスタＴＨなどの出力から、時刻によって変動する適時情報を取得する。また、二次側信号処理回路１４が、特性情報をＥＥＰＲＯＭ１７から取得する（Ｓ３２）。この際、ＥＥＰＲＯＭ１７から過去の充電履歴を読み出したり、検出電圧や、検出電流、検出温度、充電時間などを、充電履歴としてＥＥＰＲＯＭ１７に追加して記憶させたりしても良い。
【００５０】
次に、二次側信号処理回路１４がスイッチＱ１をオンオフ制御し、携帯電話機などの端末固有の端末識別子、適時情報、特性情報を送信信号として負荷変調通信を行う（Ｓ３３）。スイッチＱ１のオンオフ制御により、送電端末２００のコイルアンテナ２１から見た受電端末１００のコイルアンテナ１１の負荷インピーダンスが変化して、送電端末２００のコイルアンテナ２１における電圧レベルが受電端末１００からの送信信号に応じて変化する。
【００５１】
二次側信号処理回路１４は電圧検出回路１５の出力する充電電圧を一定時間モニタし、充電電圧の電圧レベルが規定値よりも高くなれば電力伝送モードとして動作制御を行い、そうならなければ再び負荷変調通信モードでの動作制御を行う（Ｓ３４）。電力伝送モードでは、充電池ＲＬの起電圧よりも十分に大きな充電電圧が給電され、充電池ＲＬの充電が進展する（Ｓ３５）。
【００５２】
一方、送電端末２００では、待機状態では負荷変調通信モードの動作を行い、負荷変調通信による信号を受信してから、電力伝送モードでの動作に移行する。電力伝送モードで一定の時間が経過すると負荷変調通信モードに移行し、受電端末１００との定期認証を行う。
【００５３】
負荷変調通信モードでは、まず、一次側信号処理回路２８が、低電圧充電制御電圧を設定する充電制御信号を出力してＤＣ／ＤＣコンバータ２５を制御する（Ｓ４１）。これにより、受電端末１００の充電電圧の電圧レベルが低くなる。したがって、受電端末１００では負荷変調通信の送信動作が実施される。
【００５４】
次に、送電端末２００の一次側信号処理回路２８では、受電端末１００からの送信信号を検出する（Ｓ４２）。送信信号を検出した一次側信号処理回路２８は、端末識別子の認証を行う（Ｓ４３）。照合が取れれば、送信信号に含まれる特性情報や適時情報に基づいて充電制御電圧を演算により決定する（Ｓ４４）。
【００５５】
次に、決定した充電制御電圧を設定する充電制御信号を出力してＤＣ／ＤＣコンバータ２５を制御する（Ｓ４５）。
【００５６】
これにより、ＤＣ／ＤＣコンバータ２５の出力電圧が高電圧充電制御電圧に変化し、コイルアンテナ２１に励起する近接電磁界が強まる（Ｓ４６）。したがって、受電端末１００における充電電圧が既定値よりも高まって電力伝送モードになり、充電池ＲＬの充電が進展する。
【００５７】
その後、一定の時間が経過して定期認証タイミングとなると、送電端末２００の一次側信号処理回路２８は、再び負荷変調通信モードでの動作を実施する（Ｓ４７）。
【００５８】
以上の動作フローでは、送電端末２００の一次側信号処理回路２８が、高電圧充電制御電圧の電圧値を適切に設定することで、受電端末１００の充電電圧と充電電流とを充電池ＲＬの最適充電パターンに従わせることが可能になる。
【００５９】
《第３の実施形態》
次に、本発明の第３の実施形態に係る無接点充電システムについて説明する。以下では、第１の実施形態と同一の構成には、第１の実施形態と同じ符号を付して説明を省く。
【００６０】
本実施形態の無接点充電システムは、第１の実施形態に係る無接点充電システムと略同じ構成であるが、動作フローの点で相違する。
【００６１】
具体的には、一次側信号処理回路２８としてプラットフォーム非依存のプログラム実行環境を仮想マシンにより実現するマイコンを採用する。また、充電制御電圧の設定値の演算を行う処理プログラムである仮想マシン用バイトコード（または機械語、インタプリタ言語）を負荷変調通信により送信して更新可能にする。
【００６２】
図５は、第３の実施形態の無接点充電システムでの受電端末の動作フローを示す図である。
【００６３】
受電端末１００では、送電端末２００との通信開始時に、処理プログラムの更新を行う。
【００６４】
まず、二次側信号処理回路１４が充電電圧検出回路１５の出力から、送電端末２００との接続を検出する（Ｓ５１）。検出すれば、バイトコードをＥＥＰＲＯＭ１７から取得する（Ｓ５２）。このバイトコードは充電池ＲＬの電池種別に応じたものである。
【００６５】
次に、二次側信号処理回路１４がスイッチＱ１をオンオフ制御し、携帯電話機などの端末固有の端末識別子と、バイトコードとを送信信号として負荷変調通信を行う（Ｓ５３）。これにより、送電端末２００のコイルアンテナ２１から見た受電端末１００のコイルアンテナ１１の負荷インピーダンスが変化して、送電端末２００のコイルアンテナ２１における電圧レベルが受電端末１００からの送信信号に応じて変化する。
【００６６】
次に、二次側信号処理回路１４は、電圧検出回路１５の出力する充電電圧からモードの判定を行い、充電電圧の電圧レベルが規定値よりも低ければ、負荷変調通信モードとして動作制御を行う（Ｓ５４）。
【００６７】
負荷変調通信モードでは、まず、二次側信号処理回路１４が電圧検出回路１５や、電流検出用抵抗Ｒ２、サーミスタＴＨなどの出力から、時刻によって変動する適時情報を取得する（Ｓ５５）。この際、ＥＥＰＲＯＭ１７から過去の充電履歴を読み出したり、検出電圧や、検出電流、検出温度、充電時間などを、充電履歴としてＥＥＰＲＯＭ１７に追加して記憶させたりしても良い。
【００６８】
次に、二次側信号処理回路１４がスイッチＱ１をオンオフ制御し、携帯電話機などの端末固有の端末識別子、適時情報を送信信号として負荷変調通信を行う（Ｓ５６）。スイッチＱ１のオンオフ制御により、送電端末２００のコイルアンテナ２１から見た受電端末１００のコイルアンテナ１１の負荷インピーダンスが変化して、送電端末２００のコイルアンテナ２１における電圧レベルが受電端末１００からの送信信号に応じて変化する。
【００６９】
二次側信号処理回路１４は電圧検出回路１５の出力する充電電圧を一定時間モニタし、充電電圧の電圧レベルが規定値よりも高くなれば電力伝送モードとして動作制御を行い、そうならなければ再び負荷変調通信モードでの動作制御を行う（Ｓ５７）。電力伝送モードでは、充電池ＲＬの起電圧よりも十分に大きな充電電圧が給電され、充電池ＲＬの充電が進展する（Ｓ５８）。
【００７０】
図６は、第３の実施形態の無接点充電システムでの送電端末の動作フローを示す図である。
【００７１】
送電端末２００では、受電端末１００との通信開始時に、一次側信号処理回路２８が、受電端末１００からの送信信号を検出する（Ｓ６１）。検出すれば、端末識別子の認証を行う（Ｓ６２）。照合が取れれば、送信信号に含まれるバイトコードが更新された新しいものか判定する（Ｓ６３）。更新されていれば、一次側信号処理回路２８の処理プログラムを変更する（Ｓ６４）。
【００７２】
次に、一次側信号処理回路２８は負荷変調通信モードの動作を行い、低電圧充電制御電圧を設定する充電制御信号を出力してＤＣ／ＤＣコンバータ２５を制御する（Ｓ６５）。これにより、受電端末１００の充電電圧の電圧レベルが低くなる。したがって、受電端末１００では負荷変調通信の送信動作が実施される。
【００７３】
次に、送電端末２００の一次側信号処理回路２８では、受電端末１００からの送信信号を検出する（Ｓ６６）。送信信号を検出した一次側信号処理回路２８は、端末識別子の認証を行う（Ｓ６７）。照合が取れれば、送信信号に含まれる適時情報に基づいて充電制御電圧を演算により決定する（Ｓ６８）。
【００７４】
次に、決定した充電制御電圧を設定する充電制御信号を出力してＤＣ／ＤＣコンバータ２５を制御する（Ｓ６９）。
【００７５】
これにより、ＤＣ／ＤＣコンバータ２５の出力電圧が高電圧充電制御電圧に変化し、コイルアンテナ２１に励起する近接電磁界が強まる（Ｓ７０）。したがって、受電端末１００における充電電圧が既定値よりも高まって電力伝送モードになり、充電池ＲＬの充電が進展する。
【００７６】
その後、一定の時間が経過して定期認証タイミングとなると、送電端末２００の一次側信号処理回路２８は、再び負荷変調通信モードでの動作を実施する（Ｓ７１）。
【００７７】
以上の動作フローでは、送電端末２００の一次側信号処理回路２８が、高電圧充電制御電圧の電圧値を適切に設定することで、受電端末１００の充電電圧と充電電流とを充電池ＲＬの最適充電パターンに従わせることが可能になる。
【００７８】
以上の各実施形態で示したように本発明は実施できるが、本発明の範囲は、上述の実施形態ではなく特許請求の範囲によって示され、本発明の範囲には特許請求の範囲と均等の意味および範囲内でのすべての変更が含まれることが意図される。
【符号の説明】
【００７９】
１…無接点充電システム
１１…コイルアンテナ
１２…整流回路
１３…負荷変調部
１４…二次側信号処理回路
１５…電圧検出回路
１７…ＥＥＰＲＯＭ
１８…保護回路
１９…充電池パック
２１…コイルアンテナ
２２…充電制御部
２３…一次側信号処理部
２４…整流回路
２５…ＤＣ／ＤＣコンバータ
２６…インバータ
２７…電圧検出回路
２８…一次側信号処理回路
１００…受電端末
２００…送電端末
Ｒ２…電流検出用抵抗
ＲＬ…充電池
ＴＨ…サーミスタ
【図１】
2010035545.tif 000003
【図２】
2010035545.tif 000004
【図３】
2010035545.tif 000005
【図４】
2010035545.tif 000006
【図５】
2010035545.tif 000007
【図６】
2010035545.tif 000008
【国際調査報告】
2010035545.tif 000009
2010035545.tif 000010